(57)【要約】【課題】  一方側と他方側とで視野角が異なる液晶パネルを備えた液晶表示装置の全ての部品を、液晶画面上における遊技者の視点位置が一方側と他方側とで異なる機種間で共用できる遊技機を提供する。【解決手段】  本発明の一実施形態に係る遊技機は、遊技に必要な機器を収納する筐体１０と、遊技に関連する画像を表示する液晶パネルであって、その表示画面上における一方側Ｕと他方側Ｄとで視野角が異なる液晶パネルを有する液晶パネルユニット３０と、液晶パネルを駆動するための駆動部を有し、液晶パネルユニット３０を筐体１０に取り付けるための取付体４０とを備え、取付体４０は、筐体１０と係脱可能に係合する係合手段４６Ａ，４６Ｂと、筐体１０に対して固定される被固定手段４３Ａ，４３Ｂ（４５Ａ，４５Ｂ）とがそれぞれ、前記一方側Ｕおよび前記他方側Ｄの両方に設けられていることを特徴とする。【選択図】図７
2005169100.tif 000002
【特許請求の範囲】
【請求項１】
上下方向に沿って吊下部と固定部とを有するハウジングに対して吊り下げ固定される液晶表示装置において、
液晶パネルを有し、その視野角の中心線が前記液晶パネルの表面に対する法線と平行ではない液晶パネルユニットと、
前記液晶パネルユニットを支持する支持部材と、
を備え、
前記支持部材は、前記ハウジングの上下方向に対応する方向に沿う両側にそれぞれ、前記吊下部に掛けられる被吊下部と、前記固定部に固定される被固定部とを有していることを特徴とする液晶表示装置。
【請求項２】
前記支持部材が略矩形のフレームであり、
前記被吊下部は、前記支持部材の前記両側で前記フレームの側面に形成されたシャフト孔と、このシャフト孔に着脱自在に取り付けられ且つ前記ハウジングの前記吊下部を形成するフックに対して係合可能なシャフトとを有し、
前記被固定部がブラケットから成り、このブラケットには、前記ハウジングの前記固定部を形成するネジ穴に螺合される止めネジの胴部を通すための孔が設けられていることを特徴とする請求項１に記載の液晶表示装置。
【請求項３】
前記被吊下部および前記被固定部は、前記支持部材の中心に対して点対称となる位置にそれぞれ設けられていることを特徴とする請求項１または請求項２に記載の液晶表示装置。
【請求項４】
請求項１から請求項３のいずれか１項に記載の液晶表示装置を備えることを特徴とする遊技機。
【請求項５】
遊技に必要な機器を収納する筐体と、
遊技に関連する画像を表示する液晶パネルであって、その表示画面上における一方側と他方側とで視野角が異なる液晶パネルを有する液晶パネルユニットと、
前記液晶パネルを駆動するための駆動部を有し、前記液晶パネルユニットを前記筐体に取り付けるための取付体と、
を備え、
前記取付体は、前記筐体と係脱可能に係合する係合手段と、前記筐体に対して固定される被固定手段とがそれぞれ、前記一方側および前記他方側の両方に設けられていることを特徴とする遊技機。
【請求項６】
前記取付体が略矩形のフレームであり、
前記係合手段は、前記フレームの側面に形成され、前記筐体に引掛けられるシャフトが着脱自在に取り付けられるシャフト孔を有し、
前記被固定手段は、前記フレームに形成されたブラケットと、このブラケットに形成され且つ前記フレームを筐体に対して固定するためのネジが通るネジ挿通孔とを有し、
前記シャフト孔および前記ブラケットは、前記一方側および前記他方側の両方にそれぞれ一対ずつ設けられていることを特徴とする請求項５に記載の遊技機。
【請求項７】
前記取付体は、その中心を通る中心線に対して略対称な形状を成していることを特徴とする請求項５または請求項６に記載の遊技機。
【発明の詳細な説明】
【技術分野】
【０００１】
本発明は、液晶パネルを有する液晶表示装置、および、そのような液晶表示装置を備える遊技機に関する。
【背景技術】
【０００２】
一般に、遊技機には、その遊技の態様、及びそのような遊技を実行する遊技装置を組み込んでいる筐体に関し、様々な形態のものが知られている。例えば、遊技機の一つとして知られているスロットマシンには、特許文献１に開示されているように、遊技者が着座して遊技するタイプ（スラント型とも称される）のものや、特許文献２に開示されているように、遊技者が立って遊技するタイプ（アップライト型とも称される）のものが知られている。
【０００３】
このようなスロットマシンは、一般に、それぞれ図柄が描かれた複数の回転リールを横一列に回転可能に配設して成るリールユニットを含む遊技装置と、この遊技装置を内部に組み込んだ筐体とを備えている。また、前記筐体には、前記回転リールを視認できる表示部と、この表示部の前方下側（遊技者側）に設置され且つ遊技を行なう上で必要とされる各種の操作ボタンやコイン投入口を有する操作部とが設けられている。
【特許文献１】特開２００３−６７８１０号公報
【特許文献２】特開２００１−１９８２６５号公報
【発明の開示】
【発明が解決しようとする課題】
【０００４】
ところで、前述したスロットマシンの中には、前記回転リールを視認できる前記表示部（以下、主表示部という。）の他に、この主表示部の上側に位置して設けられ且つ例えば所定の条件下で主表示部での遊技に引き続いて第２の遊技（所謂セカンドゲーム）を行なうための副表示部を有し、しかも、この副表示部が液晶表示装置として筐体に対して着脱可能に取り付けられているものがある。したがって、その場合には、内部構造等が類似する前記スラント型スロットマシンと前記アップライト型のスロットマシンとの間で前記副表示部（液晶表示装置）を共用することが考えられる。なお、この副表示部は、スロットマシンの正面で遊技を行なう遊技者の後方から遊技を観察する第三者への演出を行なう目的も有している。
【０００５】
図１３に示されるように、前記副表示部１１０は、一般に、遊技に関連する画像を表示する液晶パネルを有する液晶パネルユニット１００と、液晶パネルユニット１００を筐体１０２に取り付けるためのフレーム１０４とから成る。フレーム１０４には、液晶パネルユニット１００を構成する液晶パネルを駆動するためのＩＣドライブが搭載されており、一方、前記液晶パネルからは、前記ＩＣドライブに電気的に接続される配線ケーブルが延びている。そして、前記液晶パネルが前記ＩＣドライブに電気的に接続されて液晶パネルユニット１００が機械的に組み付いたフレーム１０４を、筐体１０２に対して取り付ける場合には、まず、筐体１０２における副表示部１１０の設置領域Ｓで、フレーム１０４の一方側に設けられた一対のシャフト１０６，１０６を筐体１０２の対応する掛合部１０８，１０８に引掛けて、フレーム１０４を筐体１０２から吊り下げた後、フレーム１０４の他方側に設けられたブラケット１０９の穴１０７と筐体１０２側に対応して設けられたネジ穴１０５とを一致させた状態で、これらの穴１０５，１０７に固定ネジを螺合して、フレーム１０４を筐体１０２に対して確実に固定する。
【０００６】
しかしながら、このように、筐体１０２と係脱可能に係合するシャフト１０６と、筐体１０２に対して固定されるブラケット１０９とがフレーム１０４の一方側（上側）に偏って別々に設けられていると、前記液晶パネルの視野角の特性も絡んで、前記スラント型スロットマシンと前記アップライト型のスロットマシンとの間で副表示部１１０を共用することにおいて以下のような問題が生じる。
【０００７】
すなわち、一般に、スロットマシンに搭載されるの液晶パネルは、上方側の視野角と下方側の視野角とが異なる。すなわち、液晶パネルは、一方側に視野角が偏っており、一方側から見た場合の視野角に対して他方側から見た場合の視野角が狭くなっている。アップライト型のスロットマシンでは、遊技者および第三者の視点が副表示部１１０を見上げる位置となるため、下方側の視野角が広くなる向きで液晶パネルが搭載される。一方、スラント型のスロットマシンでは、遊技者の視点が副表示部１１０を見下げる位置あるいは正面となり且つ第三者の視点が副表示部１１０を見下げる位置となるため、上方側の視野角が広くなる向きで液晶パネルが搭載される。したがって、スラント型のスロットマシンとアップライト型のスロットマシンとの間で副表示部１１０を共用する場合には、上下の視野角が逆転するように液晶パネル（液晶パネルユニット１００）を入れ替えて（１８０度回転させて）搭載する必要がある（この場合、画面表示は上下左右が反転する）。
【０００８】
また、このように液晶パネル（液晶パネルユニット１１０）の上下を入れ替えて搭載すると、液晶パネルを駆動するＩＣドライブ等を搭載したフレーム１０４もそれに合わせて上下を入れ替えて搭載しなければならない。これは、液晶パネルに電気的に接続されるＩＣドライブ等と液晶パネルとの機械的および電気的な位置関係を整合させるためである。また、液晶パネルの上下の入れ替えに伴ってフレーム１０４の上下を入れ替えなければ、液晶パネルから延びる前記配線ケーブルの長さが足りなくなって、ＩＣドライブ等と液晶パネルとを接続できなくなる等の物理的な制約が生じることもあるためである。
【０００９】
しかしながら、このように、フレーム１０４までも上下を入れ替えて搭載してしまうと、フレーム１０４におけるシャフト１０６とブラケット１０９との上下関係が逆になり、フレーム１０４側のシャフト１０６と筐体１０２側の掛合部１０８との位置およびフレーム１０４側のブラケット１０９の穴１０７と筐体１０２側のネジ穴１０５との位置が合わなくなる。すなわち、フレーム１０４を筐体１０２側に引掛けて固定することができなくなる。このことは、結果的に、スラント型のスロットマシンとアップライト型のスロットマシンとの間でフレーム１０４を共用することができなくなることを意味する。したがって、従来においては、スラント型のスロットマシンとアップライト型のスロットマシンとでフレーム１０４を専用品とする以外に方法がなかった。しかし、コストの削減を図る上では、副表示部１１０の全てをスラント型のスロットマシンとアップライト型のスロットマシンとで共用できることが望まれる。
【００１０】
本発明は、前記事情に着目してなされたものであり、その目的とするところは、一方側と他方側とで視野角が異なる液晶パネルを備えた液晶表示装置の全ての部品を、液晶画面上における遊技者の視点位置が一方側と他方側とで異なる機種間で共用できる遊技機を提供することにある。また、本発明は、一方側に視野角が偏っている液晶パネルを有する液晶表示装置であって、遊技者や第三者の視点位置が異なる機種の遊技機に共用可能な液晶表示装置、および、当該液晶表示装置を備えた遊技機を提供することを目的としている。
【課題を解決するための手段】
【００１１】
前記課題を解決するために、請求項１に記載された液晶表示装置は、上下方向に沿って吊下部と固定部とを有するハウジングに対して吊り下げ固定される液晶表示装置であって、液晶パネルを有し、その視野角の中心線が前記液晶パネルの表面に対する法線と平行ではない液晶パネルユニットと、前記液晶パネルユニットを支持する支持部材とを備え、前記支持部材は、前記ハウジングの上下方向に対応する方向に沿う両側にそれぞれ、前記吊下部に掛けられる被吊下部と、前記固定部に固定される被固定部とを有していることを特徴とする。
【００１２】
この請求項１に記載された液晶表示装置によれば、前記ハウジングの上下方向に対応する方向に沿う前記支持部材の両側にそれぞれ、前記吊下部に掛けられる被吊下部と、前記固定部に固定される被固定部とが設けられているため、液晶表示装置が設けられる位置に応じて、液晶パネルを見込む視点の想定位置に広い視野角を提供するよう液晶表示装置を反転させることが可能である。
【００１３】
なお、上記構成において、「視野角の中心線」とは、液晶パネルユニットの視野角の二等分線のことである。
【００１４】
また、上記構成においては、請求項２に記載されるように、前記支持部材が略矩形のフレームであり、前記被吊下部は、前記支持部材の前記両側で前記フレームの側面に形成されたシャフト孔と、このシャフト孔に着脱自在に取り付けられ且つ前記ハウジングの前記吊下部を形成するフックに対して係合可能なシャフトとを有し、前記被固定部がブラケットから成り、このブラケットには、前記ハウジングの前記固定部を形成するネジ穴に螺合される止めネジの胴部を通すための孔が設けられていても良い。
【００１５】
また、上記構成においては、請求項３に記載されるように、前記被吊下部および前記被固定部が、前記支持部材の中心に対して点対称となる位置にそれぞれ設けられていることが好ましい。
【００１６】
また、本発明では、請求項１から請求項３のいずれか１項に記載の液晶表示装置を備えることを特徴とする遊技機が提供される。
【００１７】
更に、前記課題を解決するために、請求項５に記載された遊技機は、遊技に必要な機器を収納する筐体と、遊技に関連する画像を表示する液晶パネルであって、その表示画面上における一方側と他方側とで視野角が異なる液晶パネルを有する液晶パネルユニットと、前記液晶パネルを駆動するための駆動部を有し、前記液晶パネルユニットを前記筐体に取り付けるための取付体とを備え、前記取付体は、前記筐体と係脱可能に係合する係合手段と、前記筐体に対して固定される被固定手段とがそれぞれ、前記一方側および前記他方側の両方に設けられていることを特徴とする。
【００１８】
この請求項５に記載された遊技機によれば、前記取付体は、前記筐体と係脱可能に係合する係合手段と、筐体に対して固定される被固定手段とがそれぞれ、一方側に偏って別々に設けられているのではなく、取付体の両方の側（すなわち、前記一方側および前記他方側の両方）に揃って設けられている。したがって、前記係合手段と係合する前記筐体側の被係合部分と、前記被固定手段が固定される前記筐体側の固定部とがそれぞれ、前記筐体における液晶取付領域の一方側に偏って別々に設けられている場合（図１３に示されるような場合）であっても、取付体が筐体に取り付いた第１の状態と、この第１の状態から取付体をその中心周りに１８０°回転させた第２の状態の両方において、常に、取付体のいずれか一方側にある係合手段が筐体側にある被係合部分の位置と一致し、前記係合手段と反対の側にある被固定手段が筐体側の固定部の位置と一致する。そのため、例えばスロットマシンにおいて、遊技者の視点位置が上下で異なるスラント型のスロットマシンとアップライト型のスロットマシンとの間で液晶パネルユニットを共用するべく、液晶パネルユニットを１８０度回転させて上下の位置を入れ替え、それに伴って取付体を１８０度回転させても、取付体のいずれか一方側にある係合手段を筐体側にある被係合部分に係合させ、前記係合手段と反対の側にある被固定手段を筐体側の固定部に固定することができる。したがって、取付体をスラント型のスロットマシンとアップライト型のスロットマシンとの間で共用することができ、結果的に、取付体と液晶パネルユニットとからなる液晶表示装置全体をスラント型のスロットマシンとアップライト型のスロットマシンとの間で共用することができる。無論、このような共用形態は、スロットマシンに限らず、液晶画面上における遊技者の視点位置が一方側と他方側とで異なる様々な遊技機間で実現することができる。
【００１９】
また、上記構成においては、請求項６に記載されるように、前記取付体が略矩形のフレームとして形成され、前記係合手段が、前記フレームの側面に形成され且つ前記筐体に引掛けられるシャフトが着脱自在に取り付けられるシャフト孔を有し、前記被固定手段が、前記フレームに形成されたブラケットと、このブラケットに形成され且つ前記フレームを筐体に対して固定するためのネジが通るネジ挿通孔とを有し、前記シャフト孔および前記ブラケットが、前記一方側および前記他方側の両方にそれぞれ一対ずつ設けられていても良い。
【００２０】
なお、前記係合手段、前記被固定手段、被吊下部、被固定部は、このような形態に限らず、様々な形態をとることができる。例えば、前記係合手段および前記被吊下部は、前記筐体側または前記ハウジングに設けられたシャフトに引掛けられるフックであっても良い。また、前記シャフト孔の全てに予めシャフトが取り付いた状態で、あるいは、前記筐体または前記ハウジングに対して取付られるシャフト孔の部分にだけ予めシャフトが取り付いた状態で、前記係合手段および前記被吊下部が構成されていても良い。すなわち、前記係合手段および前記被吊下部は、前記シャフト孔と前記シャフトとによって構成されても良い。この場合、シャフトは、シャフト孔に対して取り外し不可能に設けられていても構わない。無論、シャフト孔が存在せず、シャフトのみによって前記係合手段および前記被吊下部が構成されていても良い（すなわち、係合手段および前記被吊下部としてのシャフトが取付体の側面に突設されていても構わない）。また、前記被固定手段としては、マグネット、粘着テープ、ラッチ、溶接等を挙げることができる。
【００２１】
また、上記構成において、前記取付体は、請求項７に記載されるように、その中心を通る中心線に対して略対称な形状を成していることが望ましい。このように、前記取付体が略対称な形状を成していれば、例えば取付体と液晶パネルユニットとから成る液晶表示装置をスラント型のスロットマシンとアップライト型のスロットマシンとの間で共用する場合であって、両スロットマシンにおける液晶表示装置の設置領域が同一形状である場合、液晶表示装置を１８０°回転させた際に設置領域と液晶表示装置とが干渉する（液晶表示装置を設置領域にセットできなくなる）といったことがなくなる。
【発明の効果】
【００２２】
本発明の液晶表示装置によれば、液晶表示装置が設けられる位置に応じて、液晶パネルを見込む視点の想定位置に広い視野角を提供するよう液晶表示装置を反転させることが可能となる。
【００２３】
また、本発明の遊技機によれば、一方側と他方側とで（例えば上下で）視野角が異なる液晶パネルを備えた液晶表示装置の全ての部品を、液晶画面上における遊技者（および第三者）の視点位置が一方側と他方側とで（例えば上下で）異なる機種間で共用できる。したがって、コストの低減を図ることができる。
【発明を実施するための最良の形態】
【００２４】
以下、図面を参照しながら、本発明の一実施形態について具体的に説明する。
【００２５】
図１には、本発明の一実施形態に係る遊技機として、アップライト型のスロットマシンが示されている。図示のように、本実施形態に係るスロットマシン１は、それぞれ図柄（識別情報）が描かれた複数の回転リール３Ｌ，３Ｃ，３Ｒを横一列に回転可能に配設して成るリールユニットを含む遊技装置と、この遊技装置を内部に組み込んだ筐体１０とを備えている。
【００２６】
筐体１０は、回転リール３Ｌ，３Ｃ，３Ｒが透過して視認できる液晶表示装置から成る主表示部３１を有している。この主表示部３１の表示画面上には、リール３Ｌ，３Ｃ，３Ｒの図柄を透過表示する図柄表示領域１３と、演出画像や情報等を表示する演出表示領域１４とが設けられている。
【００２７】
また、筐体１０は、主表示部３１の手前側（遊技者側）下方に、緩やかな傾斜面を有する台座部（操作部）１５を備えている。この台座部１５には、遊技を行なう上で必要とされる各種の操作手段としての遊技ボタン１６（ＢＥＴボタン、リール回転ボタン、リール停止ボタン等）や、遊技媒体としてのコインを投入する投入口１７等が形成されている。
【００２８】
また、台座部１５の下側には、遊技結果に応じてコインを払い出す払出口８と、払い出されたコインを受ける受け部９とが設けられている。
【００２９】
また、主表示部３１の上側には、例えば所定の条件下で主表示部３１での遊技に引き続いて第２の遊技（所謂セカンドゲーム）を行なうための副表示部２２が設けられている。この副表示部２２は、液晶表示装置として形成されており、後述するように筐体１０に対して着脱可能に取り付けられている。また、この副表示部２２の両側には、遊技中に遊技の興趣を増大するため、演出用の効果音を発生するスピーカ２５Ｌ，２５Ｒが設けられている。
【００３０】
図２には、透過型の液晶表示装置として構成される副表示部２２の構造が分解状態で示されている。図示のように、副表示部２２は、所定の大きさを有する（２０インチ程度）液晶パネル３２と、導光板３４と、反射板３６とを少なくとも有する液晶パネルユニット３０と、液晶パネルユニット３０を保持するとともに液晶パネル３２を駆動するＩＣドライブ４２を有する矩形状のフレームである取付体４０とから構成されている。
【００３１】
液晶パネル３２は、一対の透明基板（例えば、ガラス基板）と、その間に挟持された液晶材料とから構成されており、パネル領域の一方側と他方側（本実施形態では上方側と下方側）とで視野角が異なる。すなわち、図９に示すように、液晶パネル３２は、その表面（表示面）３２ｂに平行な方向における一方側に視野角θが偏っている。したがって、液晶パネル３２に交差する軸線、すなわち、液晶パネルの表面に対する法線Ｘを基準に、液晶パネル３４の視野角θを、一方側における視野角θ１と他方側における視野角θ２とに分離した場合、視野角θ１が視野角θ２よりも大きくなっている。すなわち、視野角θの中心線（液晶パネル３４の視野角θの二等分線）Ｙは、液晶パネルの表面に対する法線Ｘと平行ではない。なお、本実施形態における液晶パネルの視野角は、コントラスト比が５以上を保つ角度であり、例えば、視野角θは１３５°であり、視野角θ１は８０°であり、視野角θ２は５５°である。しかしながら、視野角はこれらの角度に限定されない。なお、液晶パネル３２としては、パッシブ型液晶表示装置であっても良く、アクティブマトリクス型液晶表示装置であっても良い。また、液晶パネル３２からは、取付体４０のＩＣドライブ４２に電気的に接続される配線ケーブル３２ａが延びている。
【００３２】
液晶パネル３２の背面側（遊技者と反対側）には、液晶パネル３２と同じ大きさを有する矩形状の導光板３４（例えば、アクリル系樹脂などの透光性材料によって形成されている）が配置されている。また、導光板３４の背面側には反射板３６が配置され、反射板３６の背面側には取付体４０が配置されている。
【００３３】
また、導光板３４の上下端面に沿ってそれぞれ光源３５ａ，３５ｂが配置されている。これらの光源３５ａ，３５ｂは、導光板３４に光を入射させるものであり、導光板３４と協働して液晶パネル３２のためのバックライトを構成する（液晶パネル３２に背面光を供給する）。なお、光源３５ａ，３５ｂとしては、冷陰極管、蛍光ランプを用いても良く、あるいは、ＬＥＤを用いても良い。
【００３４】
また、図３および図４に拡大して詳しく示されるように、矩形状のフレームとして形成される取付体４０、すなわち、液晶パネルユニット３０を支持するための支持部材は、２つの側面４０ａ，４０ｂと、これらの側面４０ａ，４０ｂ同士を連結する上面４０ｃおよび下面４０ｄと、背面４０ｅとを有しており、これらの面によって、液晶パネルユニット３０を収容する収容空間４９を形成している。また、収容空間４９内には、液晶パネル３２を駆動するＩＣドライブ４２が背面４０ｅに固定して設けられている。
【００３５】
取付体４０の両側の各側面４０ａ，４０ｂには、視野角が異なる液晶パネル３２の一方側と他方側とに対応する下側Ｄおよび上側Ｕにそれぞれ、筐体１０と係脱可能に係合する係合部（係合手段）、すなわち、筐体１０の上部に吊り下げられる被吊下部と、筐体１０に対して固定される被固定部（被固定手段）とが設けられている。具体的には、前記係合部（被吊下部）は、取付体４０の両側の各側面４０ａ，４０ｂの上側Ｕに形成される上側シャフト孔４６Ａと、取付体４０の両側の各側面４０ａ，４０ｂの下側Ｄに形成される下側シャフト孔４６Ｂとを有している。また、これらのシャフト孔４６Ａ，４６Ｂには、シャフト孔４６Ａ，４６Ｂと協働して前記係合部（係合手段）を構成するシャフト５０（図５等参照）が、選択的に且つ着脱自在に取り付けられるようになっている。一方、前記被固定手段は、取付体４０の上面４０ｃの両側に形成された上側ブラケット４３Ａと、取付体４０の下面４０ｄの両側に形成された下側ブラケット４３Ｂとを有している。また、これらの各ブラケット４３Ａ，４３Ｂには、取付体４０を筐体１０に対して固定するための後述する止めネジ６４の胴部が通るネジ挿通孔４５Ａ，４５Ｂが形成されている。このように、本実施形態の取付体４０は、シャフト孔４６Ａ，４６Ｂおよびブラケット４３Ａ，４３Ｂが上側Ｕおよび下側Ｄの両方にそれぞれ一対ずつ設けられており、その中心Ｏを通り且つ側面４０ａ，４０ｂと平行な中心線Ｌに対して略対称な形状を成している。
【００３６】
次に、上記構成の液晶パネルユニット３０を、取付体４０を介して、アップライト型のスロットマシン１に取り付ける場合について説明する。
【００３７】
まず、図５および図６に示されるように、液晶パネル３２の配線ケーブル３２ａを取付体４０のＩＣドライブ４２に電気的に接続するとともに、取付体４０の収容空間４９（図３参照）内に液晶パネルユニット３０を収容して機械的に組付ける。また、液晶パネル３４の視野角における仕様をアップライト型のスロットマシン１に合わせるべく、例えば、上側Ｕの一対のシャフト孔４６Ａ，４６Ａにシャフト５０を取り付ける。そして、この状態で、図７に示されるように、取付体４０の上側Ｕに設けられた一対のシャフト５０，５０を、筐体１０の上部すなわちハウジングにおける副表示部２２の設置領域Ｓの上側に設けられた対応するフック状の掛合部６０に引掛けて、取付体４０（副表示部２２）を筐体１０から吊り下げる。その後、取付体４０の下側Ｄに設けられた一対のブラケット４３Ｂ，４３Ｂのネジ挿通穴４５Ｂ，４５Ｂと筐体１０側に対応して設けられたネジ穴６２，６２とを一致させた状態で、これらの穴６２，４５Ｂに止めネジ６４を螺合し、取付体４０（副表示部２２）を筐体１０に対して固定する。すなわち、止めネジ６４および筐体（ハウジング）１０の突片８２（図７参照）に設けられたネジ穴６２は、副表示部（液晶表示装置）２２を固定するための固定部を構成しており、突片８２と止めネジ６４との間に、被固定部であるブラケット４３Ｂが挟持されることにより、副表示部２２が固定される。なお、図１０に示されるように、副表示部２２の前方には、液晶パネル３２を保護するための透明な保護板８０が筐体１０に取り付けられている。また、筐体１０に副表示部２２が収納された状態では、ブラケット４３Ａ，４３Ｂは筐体１０に覆われており、液晶パネル３２の表面（表示面）のみが保護板８０を介して見えるようになっている。
【００３８】
ここで、図１１に示されるように、アップライト型のスロットマシン１では、スロットマシン１の正面に対して液晶パネル３２を見込む遊技者の視点Ｐおよび遊技者の後方から液晶パネル３２を見込む第三者の視点Ｐ’は、法線Ｘよりも下方に位置する。したがって、アップライト型のスロットマシン１では、液晶パネル３２の一方側の縁３２ｃが他方側の縁３２ｄよりも下側に位置するように、液晶パネル３２が搭載される。これによって、アップライト型のスロットマシン１は、遊技者および第三者に対し、より広い視野角を提供可能になっている。
【００３９】
一方、このような状態から、副表示部２２を、遊技者の視点位置がアップライト型のスロットマシン１と上下で逆となるスラント型のスロットマシン１Ａ（図８参照…図１と対応する構成部分については、同一符号が付されている）で使用する場合には、副表示部２２全体をそのままその中心Ｏ周りに１８０度回転させて、液晶パネル３２の上下の視野角を逆転させ、下側Ｄの一対のシャフト孔４６Ｂ，４６Ｂにシャフト５０を付け替えるとともに、これらのシャフト５０，５０をスラント型のスロットマシン１Ａの筐体１０Ａにおける副表示部２２の設置領域Ｓの上側に設けられた対応するフック状の掛合部、すなわち、吊下部としてのフック６０に引掛けて、取付体４０（副表示部２２）をその下側Ｄを上にして筐体１０Ａから吊り下げる。その後、取付体４０の上側Ｕに設けられた一対のブラケット４３Ａ，４３Ａのネジ挿通穴４５Ａ，４５Ａと筐体１０Ａ側に対応して設けられたネジ穴とを一致させた状態で、これらの穴に止めネジ６４を螺合し、取付体４０（副表示部２２）を筐体１０Ａに対して固定する。すなわち、図１２に示されるように、スラント型のスロットマシン１Ａでは、スロットマシン１Ａの正面に対して液晶パネル３２を見込む遊技者の視点Ｐおよび遊技者の後方から液晶パネル３２を見込む第三者の視点Ｐ’は、法線Ｘよりも上方に位置する。したがって、スラント型のスロットマシン１Ａでは、液晶パネル３２の一方側の縁３２ｃが他方側の縁３２ｄよりも上側に位置するように、液晶パネル３２が搭載される。これによって、スラント型のスロットマシン１Ａは、遊技者および第三者に対し、より広い視野角を提供可能になっている。
【００４０】
以上説明したように、本実施形態では、スロットマシン１の副表示部２２が液晶パネルユニット３０と取付体４０とから成り、液晶パネルユニット３０を筐体１０に取り付けるための取付体４０は、筐体１０と係脱可能に係合する係合手段すなわち被吊下部としてのシャフト孔４６Ａ，４６Ｂ（シャフト孔４６Ａ，４６Ｂにシャフト５０が取り付けられた状態では、このシャフト５０も含む）と、筐体１０に対して固定される被固定手段４３Ａ，４３Ｂ；４５Ａ，４５Ｂとがそれぞれ、上側Ｕおよび下側Ｄの両方に設けられている。
【００４１】
したがって、取付体４０が筐体１０に取り付いた第１の状態（図１の状態）と、この第１の状態から取付体４０をその中心周りに１８０°回転させた第２の状態（図８の状態）の両方において、取付体４０のいずれか一方側にある係合手段（４６Ａまたは４６Ｂ；５０）すなわち被吊下部が、筐体１０側の掛合部（被係合部分）６０すなわち吊下部の位置と一致し、前記係合手段と反対の側にある被固定手段（４３Ｂまたは４３Ａ；４５Ｂまたは４５Ａ）が筐体１０側のネジ穴（固定部）６２の位置と一致する。そのため、遊技者の視点位置が上下で異なるスラント型のスロットマシンとアップライト型のスロットマシンとの間で液晶パネルユニット３０を共用するべく、副表示部２２全体を１８０度回転させても、副表示部２２をスロットマシンの筐体１０に対して取り付けることができる。すなわち、取付体４０をスラント型のスロットマシンとアップライト型のスロットマシンとの間で共用することができ、結果的に、取付体４０と液晶パネルユニット３０とからなる液晶表示装置全体をスラント型のスロットマシンとアップライト型のスロットマシンとの間で共用することができる。そのため、スラント型およびアップライト型でそれぞれ取付体４０を専用品とする場合に比べ、コストを大幅に低減することができる。
【００４２】
なお、前述した実施形態において、シャフト５０は、４つの全てのシャフト孔４５Ａ，４５Ｂ，４６Ａ，４６Ｂに予め取り付けられていても良く、また、シャフト５０がシャフト孔４５Ａ，４５Ｂ，４６Ａ，４６Ｂから取り外し不可能であっても構わない。
【産業上の利用可能性】
【００４３】
本発明は、前述した実施形態で説明したようなスロットマシンの他、パチンコ機等、様々な遊技機に適用することが可能であり、一方側と他方側とで視野角が異なる液晶パネルを備えた液晶表示装置の全ての部品を、液晶画面上における遊技者の視点位置が一方側と他方側とで異なる機種間で共用する場合に有効である。
【図面の簡単な説明】
【００４４】
【図１】本発明の一実施形態に係るアップライト型スロットマシンの全体斜視図である。
【図２】図１のスロットマシンにおける副表示部の分解斜視図である。
【図３】副表示部を構成する取付体を正面側から見た斜視図である。
【図４】副表示部を構成する取付体を背面側から見た斜視図である。
【図５】取付体に液晶パネルユニットを組付けて成る副表示部を正面側から見た斜視図である。
【図６】取付体に液晶パネルユニットを組付けて成る副表示部を背面側から見た斜視図である。
【図７】副表示部を図１のアップライト型スロットマシンに取り付ける様子を示す要部拡大斜視図である。
【図８】図５および図６の副表示部を取り付けることができるスラント型スロットマシンの全体斜視図である。
【図９】液晶パネルを概略的に示す側面図である。
【図１０】副表示部を破断して示す概略側面図である。
【図１１】図１に示されるスロットマシンを概略的に示す側面図である。
【図１２】本発明の他の実施形態に係るスラント型のスロットマシンを概略的に示す側面図である。
【図１３】従来の副表示部をアップライト型スロットマシンに取り付ける様子を示す要部拡大斜視図である。
【符号の説明】
【００４５】
１    スロットマシン
１０    筐体（ハウジング）
３０    液晶パネルユニット
４０    取付体（支持部材）
４３Ａ，４３Ｂ    ブラケット（固定手段）
４５Ａ，４５Ｂ    ネジ挿通孔（被固定手段；被固定部）
４６Ａ，４６Ｂ    シャフト孔（係合手段；被吊下部）
５０    シャフト
５４    止めネジ
６０    フック（吊下部）
６２    ネジ穴（固定部）
【図１】
2005169100.tif 000003
【図２】
2005169100.tif 000004
【図３】
2005169100.tif 000005
【図４】
2005169100.tif 000006
【図５】
2005169100.tif 000007
【図６】
2005169100.tif 000008
【図７】
2005169100.tif 000009
【図８】
2005169100.tif 000010
【図９】
2005169100.tif 000011
【図１０】
2005169100.tif 000012
【図１１】
2005169100.tif 000013
【図１２】
2005169100.tif 000014
【図１３】
2005169100.tif 000015